(57)【要約】【課題】給水配管を切断し、これにルーズフランジを有する管継手を組付けるような煩雑な工事煩雑な工事を不要にして、既設弁から新しい弁への更新を容易に行なうことができる弁を提供する。【解決手段】筒状弁箱３の軸方向一端部の受け口３Ａに、フランジ継手６をゴムなどの弾性体によってなる弾性シールリング７を介して挿入し、受け口３Ａを径方向に貫通して押さえ板１１と弾性シールリング７を介してフランジ継手６を押圧する複数の押圧ボルト１０を設け、これら押圧ボルト１０それぞれの締め込み強さを小さくして、フランジ継手６の筒部６Ｂに負荷される押圧力を軽減することで、筒状弁箱３の受け口３Ａに対するフランジ継手６の軸線Ｃ１方向への進退移動を可能にする。【選択図】　　　　図１
2004036857.tif 000002
【特許請求の範囲】
【請求項１】
弁体が軸方向の両端部を開口した筒状弁箱の軸線に交差する軸線を有する弁棒に取付けられて該筒状弁箱に収容され、前記弁棒の作動に追従して筒状弁箱を開通・遮断できるように構成した弁において、前記筒状弁箱の軸方向の少なくとも一端部に受け口が設けられ、この受け口の内面に弾性シールリングを介在させてフランジ継手が挿入されているとともに、前記受け口を径方向に貫通して前記弾性シールリングを介して前記フランジ継手を押圧する複数の押圧ボルトが設けられていることを特徴とする弁。
【発明の詳細な説明】
【０００１】
【発明の属する技術分野】
本発明は、既設弁から新しい弁への更新を容易にした弁に関する。
【０００２】
【従来の技術】
上水、工業用水、農業用水などの給水配管系に介設されているバタフライ弁は、図６および図７に示すように、弁体１と、軸方向の両端部を開口してフランジ２，２を設けた筒状弁箱３と、この筒状弁箱３の軸線Ｃ１に交差する軸線Ｃ２を有する弁棒４とを備え、弁体１は弁棒４に取付けられて、該弁棒４の軸線Ｃ２まわりに回転可能に筒状弁箱３に収容されている。
【０００３】
バタフライ弁Ｖは、弁棒４を正逆方向に回転して、弁体１を全開位置と全閉位置の２位置で保持して使用される。つまり、弁体１を図７の全開位置に保持することで筒状弁箱３は開通され、図６の全閉位置に保持することで筒状弁箱３は遮断される。
【０００４】
【発明が解決しようとする課題】
ところが、前記従来のバタフライ弁Ｖは、フランジ２，２間の軸方向寸法、つまり、筒状弁箱２の面間寸法Ｌを調整する機能を有していないので、たとえば、給水配管５，５に介設されている既設のバタフライ弁Ｖが劣化して更新を要求される場合などにおいて、給水配管５，５側に面間調整機能が備わっていないと、給水配管５，５を切断し、これにルーズフランジを有する管継手を組付ける煩雑な工事が必要になる。このため、既設のバタフライ弁Ｖから新しいバタフライ弁への更新が困難であった。このことは、前述のバタフライ弁Ｖのみならず仕切弁やボール弁などの他の弁類にもいえることである。
【０００５】
本発明は、このような事情に鑑みてなされたもので、煩雑な工事を不要にして、既設の弁から新しい弁への更新を容易に行なうことができる弁を提供することを目的としている。
【０００６】
【課題を解決するための手段】
前記目的を達成するために、本発明に係る弁は、弁体が軸方向の両端部を開口した筒状弁箱の軸線に交差する軸線を有する弁棒に取付けられて該筒状弁箱に収容され、前記弁棒の作動に追従して筒状弁箱を開通・遮断できるように構成した弁において、前記筒状弁箱の軸方向の少なくとも一端部に受け口が設けられ、この受け口の内面に弾性シールリングを介在させてフランジ継手が挿入されているとともに、前記受け口を径方向に貫通して前記弾性シールリングを介して前記フランジ継手を押圧する複数の押圧ボルトが設けられていることを特徴としている。
【０００７】
本発明によれば、複数の押圧ボルトの押圧力を大きくすることで、筒状弁箱の受け口に対してフランジ継手を軸方向の移動を不能に固定することができ、複数の押圧ボルトの押圧力を小さくすることで、フランジ継手を軸方向に進退移動させることができる。したがって、フランジ継手を軸方向に進退移動させて、フランジ継手が筒状弁箱の軸方向の端面から突出する長さ（突出量）を調整することによって、筒状弁箱の面間寸法を調整することができるので、ルーズフランジを有する管継手を既設配管に組付ける煩雑な工事を不要にして、既設弁から新しい弁への更新を容易に行なうことができる。
【０００８】
また、筒状弁箱の受け口とフランジ継手の間に弾性シールリングを介在させてあるので、筒状弁箱とフランジ継手との間に可撓性を付与することができる。
【０００９】
【発明の実施の形態】
以下、本発明の一実施の形態を図面に基づいて説明する。
図１は本発明の一実施の形態を示す縦断面図、図２は図１のＡ−Ａ線断面図である。なお、図６および図７で説明した従来例と同一もしくは相当部分には、同一符号を付して説明する。
【００１０】
図１および図２において、バタフライ弁Ｖは、弁体１と、軸方向の両端部を開口した筒状弁箱３と、この筒状弁箱３の軸線Ｃ１に交差する軸線Ｃ２を有する弁棒４とを備え、弁体１は弁棒４に取付けられて、該弁棒４の軸線Ｃ２まわりに回転可能に筒状弁箱３に収容されている。
【００１１】
前記筒状弁箱３の軸方向の一端部には拡径した受け口３Ａが設けられ、他端部にはフランジ２が設けられており、前記受け口３Ａには、ゴムなどの弾性体によってなる弾性シールリング７を介在させることで、水密を保持した状態でフランジ継手６が挿入されいる。
【００１２】
前記フランジ継手６は、フランジ部６Ａと筒部６Ｂとを備え、この筒部６Ｂを筒状弁箱３の受け口３Ａに挿入して、フランジ部６Ａを筒状弁箱３の端面３Ｂから外部に突出させている。
【００１３】
一方、筒状弁箱３の受け口３Ａを径方向に貫通して複数個のねじ孔９，９…が円周方向等間隔で設けられ、これらねじ孔９，９…に押圧ボルト１０が螺合されており、これら押圧ボルト１０は、金属製の押さえ板１１と弾性シールリング７を介して、フランジ継手６の筒部６Ｂを径内方向に押圧できるようになっている。そして、給水配管５，５のフランジ５Ａ，５Ａと、筒状弁箱３のフランジ２およびフランジ継手６とを、図示していないボルトナットによってなる締結手段により締結した状態で、バタフライ弁Ｖが給水配管５，５に介設されている。なお、図中１２はロックナットを示す。
【００１４】
このような構成であれば、複数の押圧ボルト１０を締め込むことによって得られる押圧力は、押さえ板１１と弾性シールリング７を介してフランジ継手６の筒部６Ｂに負荷される。このため、複数の押圧ボルト１０それぞれの締め込み強さを高めて、フランジ継手６の筒部６Ｂに負荷される押圧力を大きくすることで、筒状弁箱３の受け口３Ａに対してフランジ継手６を軸線Ｃ１方向の移動を不能に固定することができる。また、複数の押圧ボルト１０それぞれの締め込み強さを小さくして、フランジ継手６の筒部６Ｂに負荷される押圧力を軽減することで、筒状弁箱３の受け口３Ａに対してフランジ継手６を軸線Ｃ１方向に進退移動させることができる。
【００１５】
たとえば、図１に示すように、筒状弁箱３の軸方向の端面３Ｂからフランジ継手６が寸法ｌだけ突出しいる面間寸法がＬのバタフライ弁Ｖにおいて、複数の押圧ボルト１０それぞれの締め込み強さを小さくして、フランジ継手６の筒部６Ｂに負荷される押圧力を軽減したのち、筒状弁箱３の受け口３Ａに対してフランジ継手６を押し込むことで、図３に示すように、フランジ継手６の突出長さ（突出量）をｌ１に短縮して、バタフライ弁Ｖの面間寸法をＬ１に縮小することができ、この状態で、押圧ボルト１０それぞれの締め込み強さを高めて、押さえ板１１を介してフランジ継手６の筒部６Ｂに負荷される押圧力を大きくすることにより、筒状弁箱３の受け口３Ａに対してフランジ継手６を軸線Ｃ１方向の移動を不能に固定して、バタフライ弁Ｖの面間寸法をＬ１に保持することができる。
【００１６】
一方、図１に示すように、筒状弁箱３の軸方向の端面３Ｂからフランジ継手６が寸法ｌだけ突出しいる面間寸法がＬのバタフライ弁Ｖにおいて、複数の押圧ボルト１０それぞれの締め込み強さを小さくして、フランジ継手６の筒部６Ｂに負荷される押圧力を軽減したのち、フランジ継手６を少し引き出すことで、図４に示すように、フランジ継手６の突出長さ（突出量）をｌ２に増大して、バタフライ弁Ｖの面間寸法をＬ２に拡大することができ、この状態で、押圧ボルト１０それぞれの締め込み強さを高めて、フランジ継手６の筒部７Ｂに負荷される押圧力を大きくすることにより、筒状弁箱３の受け口３Ａに対してフランジ継手６を軸線Ｃ１方向の移動を不能に固定して、バタフライ弁Ｖの面間寸法をＬ２に保持することができる。
【００１７】
このように、バタフライ弁Ｖの面間寸法は、フランジ継手６を軸線Ｃ１方向に進退移動させることにより、前記Ｌ１〜Ｌ２の範囲内で調整することができるので、たとえば、図１に示す面間寸法Ｌを有して給水配管５，５に介設されている既設のバタフライ弁Ｖが劣化して、更新を要求される場合などにおいては、前述の手順により図１のバタフライ弁Ｖのフランジ継手６の突出長さを図３のｌ１に短縮し、面間寸法をＬ１に縮小して給水配管５，５から取り外し、新しいバタフライ弁Ｖは、予め、その面間寸法をＬ１に縮小した状態で給水配管５と５の間に配置し、この状態で、前述の手順によりフランジ継手６の突出長さをｌに増大して、面間寸法をＬに拡大することで、更新したバタフライ弁Ｖを図１のように給水配管５，５に介設することができる。このため、給水配管５，５を切断してこれにルーズフランジを有する管継手を組付けるような煩雑な工事を行なうことなく、既設のバタフライ弁Ｖから新しいバタフライ弁Ｖへの更新を容易に行なうことができる。
【００１８】
また、筒状弁箱３の受け口３Ａには、ゴムなどの弾性体によってなる弾性シールリング７を介在させることで、水密を保持した状態でフランジ継手６が挿入されているので、筒状弁箱３とフランジ継手６との間に可撓性が付与されることになる。したがって、図５に示すように、給水配管５の軸線Ｃ３と筒状弁箱３の軸線Ｃ１とに相対的な僅かな傾きが生じたとしても、この傾きはフランジ継手６の傾斜によって吸収することができる。
【００１９】
なお、前記実施の形態では、筒状弁箱３の軸方向の一端部に受け口３Ａを設け、この受け口３Ａに弾性シールリング７を介在させた状態でフランジ継手６を挿入し、フランジ継手６の進退移動によりバタフライ弁Ｖの面間寸法Ｌを調整する構造で説明しているが、筒状弁箱３の軸方向両端部に受け口３Ａ，３Ａを設け、これら受け口３Ａ，３Ａに弾性シールリング７，７を介在させた状態でフランジ継手６，６を挿入し、フランジ継手６，６の進退移動によりバタフライ弁Ｖの面間寸法Ｌを調整できるように構成してもよい。
【００２０】
また、前記実施の形態では、バタフライ弁Ｖで説明しているが、仕切弁やボール弁などの他の弁類にも適用することができる。
【００２１】
【発明の効果】
以上説明したように、本発明に係る弁は構成されているので、以下のような格別の効果を奏する。
【００２２】
すなわち、フランジ継手を筒状弁箱の軸方向に進退移動させ、フランジ継手が筒状弁箱の軸方向の端面から突出する長さ（突出量）を調整することによって、弁の面間寸法を調整することができるので、既設の弁が劣化して更新を要求される場合、給水配管側に面間調整機能が備わっていなくても、給水配管を切断してこれにルーズフランジを有する管継手を組付けるような煩雑な工事を行なうことなく、既設の弁から新しい弁への更新を容易に行なうことができる。また、筒状弁箱の受け口には、ゴムなどの弾性体によってなる弾性シールリングを介在させることで、水密を保持した状態でフランジ継手が軸線方向の進退移動を可能に挿入されているので、筒状弁箱とフランジ継手との間に可撓性が付与されることになり、給水配管の軸線と筒状弁箱の軸線との相対的な僅かな傾きを吸収することができる。
【図面の簡単な説明】
【図１】本発明の一実施の形態を示す縦断面図である。
【図２】図１のＡ−Ａ線断面図である。
【図３】面間寸法を縮小した調整状態を部分的に示す縦断面図である。
【図４】面間寸法を拡大した調整状態を部分的に示す縦断面図である。
【図５】付与された可撓性による傾きの吸収状態を部分的に示す縦断面図である。
【図６】従来例の縦断面図である。
【図７】図６のＢ−Ｂ線断面図である。
【符号の説明】
１　弁体
３　筒状弁箱
３Ａ　筒状弁箱の受け口
４　弁棒
６　フランジ継手
７　弾性シールリング
１０　押圧ボルト
Ｃ１　筒状弁箱の軸線
Ｃ２　弁棒の軸線
【図１】
2004036857.tif 000003
【図２】
2004036857.tif 000004
【図３】
2004036857.tif 000005
【図４】
2004036857.tif 000006
【図５】
2004036857.tif 000007
【図６】
2004036857.tif 000008
【図７】
2004036857.tif 000009